【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスデバイスに関連する通信リンクの特性に少なくとも部分的に基づいて、前記ワイヤレスデバイスについてのカバレージクラスのセットを識別することと、
カバレージクラスの前記セットのうちの各カバレージクラスについて、ランダムアクセスメッセージを送信するための、サブキャリアのセットのうちの１つまたは複数のサブキャリアを識別することと、
サブキャリアの前記セットのうちの前記１つまたは複数のサブキャリア上で通信することと、
ランダムアクセスメッセージを送信するための、ワイヤレス通信システム帯域幅の狭帯域領域内のサブキャリアの前記セットのうちの１つのサブキャリアを識別することと、
前記ランダムアクセスメッセージ中に含めるべきペイロードを識別することと、
前記識別されたサブキャリアを使用して前記ペイロードと共に前記ランダムアクセスメッセージを送信することと
を備える、方法。
【請求項２】
前記ワイヤレスデバイスにおいて前記通信リンクの前記特性を測定することと、
前記通信リンクの前記特性に少なくとも部分的に基づいて、前記ワイヤレスデバイスが第１のカバレージクラス中にあると決定することと、
前記第１のカバレージクラスに少なくとも部分的に基づいて、ランダムアクセスメッセージの送信のための、サブキャリアの前記セットのうちの第１のサブキャリアを選択することと
をさらに備える、請求項１に記載の方法。
【請求項３】
各カバレージクラスについてのトークンを識別することをさらに備え、ここにおいて、前記ランダムアクセスメッセージを送信することが、
前記ランダムアクセスメッセージに関連するランダム番号を決定することと、
前記ランダム番号が前記識別されたトークンに対応することに応じて前記ランダムアクセスメッセージを送信することと
を備える、請求項２に記載の方法。
【請求項４】
複数のワイヤレスデバイスに、各カバレージクラスについての、ランダムアクセスメッセージを送信するための前記識別された１つまたは複数のサブキャリアを、シグナリングすること
をさらに備える、請求項１に記載の方法。
【請求項５】
サブキャリアの前記セットが、ワイヤレス通信システム帯域幅の狭帯域領域内の複数のサブキャリアを備える、請求項１に記載の方法。
【請求項６】
サブキャリアの前記セットのうちの隣接するサブキャリアのサブキャリア間隔が、前記ワイヤレス通信システム帯域幅の前記狭帯域領域内のデータ通信のために使用されるものと同じサブキャリア間隔に対応する、請求項５に記載の方法。
【請求項７】
ランダムアクセスメッセージが、サブキャリアの前記セットのうちの単一のサブキャリアを使用して送信される、請求項５に記載の方法。
【請求項８】
ランダムアクセスメッセージおよびデータ通信が、前記サブキャリアのうちの１つまたは複数上で時分割多重化される、請求項１に記載の方法。
【請求項９】
カバレージクラスの前記セットのうちの各カバレージクラスについての、ランダムアクセスメッセージの冗長バージョンを送信するための繰返しレベルを識別すること
をさらに備える、請求項１に記載の方法。
【請求項１０】
ランダムアクセスメッセージが非同期的に送信される、請求項１に記載の方法。
【請求項１１】
前記ランダムアクセスメッセージがパイロット信号とペイロードとを備える、請求項１０に記載の方法。
【請求項１２】
前記ペイロードが、ランダムアクセスタイプの識別情報、ワイヤレスデバイスアイデンティティ、アクセス原因、または前記ワイヤレスデバイスのカバレージクラスのうちの１つまたは複数を備える、請求項１１に記載の方法。
【請求項１３】
識別されたカバレージクラスに少なくとも部分的に基づいてサブキャリアを選択することと、
前記選択されたサブキャリアを使用してランダムアクセスメッセージを送信することと、ここにおいて、前記ランダムアクセスメッセージがランダム識別番号を備える、
前記ランダムアクセスメッセージに少なくとも部分的に基づいてアップリンクリソース割振りを受信することと、
前記アップリンクリソース割振りに少なくとも部分的に基づいてアップリンクデータパケットを送信することと、
前記アップリンクデータパケットの成功した受信を確認応答するためのフィードバックを受信することと
をさらに備える、請求項１に記載の方法。
【請求項１４】
ワイヤレス通信のための装置であって、
ワイヤレスデバイスに関連する通信リンクの特性に少なくとも部分的に基づいて、前記ワイヤレスデバイスについてのカバレージクラスのセットを識別するための手段と、
カバレージクラスの前記セットのうちの各カバレージクラスについて、ランダムアクセスメッセージを送信するための、サブキャリアのセットのうちの１つまたは複数のサブキャリアを識別するための手段と、
サブキャリアの前記セットのうちの前記１つまたは複数のサブキャリア上で通信するための手段と、
ランダムアクセスメッセージを送信するための、ワイヤレス通信システム帯域幅の狭帯域領域内のサブキャリアの前記セットのうちの１つのサブキャリアを識別するための手段と、
前記ランダムアクセスメッセージ中に含めるべきペイロードを識別するための手段と、
前記識別されたサブキャリアを使用して前記ペイロードと共に前記ランダムアクセスメッセージを送信するための手段
を備える、装置。
【請求項１５】
ワイヤレス通信のためのコードを記憶する非一時的コンピュータ可読媒体であって、前記コードが、請求項１〜請求項１３のうちの一項に記載の方法を実行するためにプロセッサによって実行可能な命令を備える、非一時的コンピュータ可読媒体。
【手続補正２】
【補正対象書類名】明細書
【補正対象項目名】０１４３
【補正方法】変更
【補正の内容】
【０１４３】
[0155]本明細書で使用される「に基づいて」という句は、条件のクローズされたセット（a closed set）への参照として解釈されないものとする。たとえば、「条件Ａに基づいて」と記述された例示的なステップは、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
以下に本願の出願当初の特許請求の範囲に記載された発明を付記する。
[Ｃ１]  ワイヤレス通信のための方法であって、
ワイヤレスデバイスに関連する通信リンクの特性に少なくとも部分的に基づいて、前記ワイヤレスデバイスについてのカバレージクラスのセットを識別することと、
カバレージクラスの前記セットのうちの各カバレージクラスについて、ランダムアクセスメッセージを送信するための、サブキャリアのセットのうちの１つまたは複数のサブキャリアを識別することと、
サブキャリアの前記セットのうちの前記１つまたは複数のサブキャリア上で通信することと
を備える、方法。
[Ｃ２]  前記ワイヤレスデバイスにおいて前記通信リンクの前記特性を測定することと、
前記通信リンクの前記特性に少なくとも部分的に基づいて、前記ワイヤレスデバイスが第１のカバレージクラス中にあると決定することと、
前記第１のカバレージクラスに少なくとも部分的に基づいて、ランダムアクセスメッセージの送信のための、サブキャリアの前記セットのうちの第１のサブキャリアを選択することと
をさらに備える、Ｃ１に記載の方法。
[Ｃ３]  各カバレージクラスについてのトークンを識別することをさらに備え、ここにおいて、前記ランダムアクセスメッセージを送信することが、
前記ランダムアクセスメッセージに関連するランダム番号を決定することと、
前記ランダム番号が前記識別されたトークンに対応することに応じて前記ランダムアクセスメッセージを送信することと
を備える、Ｃ２に記載の方法。
[Ｃ４]  各カバレージクラスについての、ランダムアクセスメッセージを送信するための前記識別された１つまたは複数のサブキャリアを、複数のワイヤレスデバイスにシグナリングすること
をさらに備える、Ｃ１に記載の方法。
[Ｃ５]  サブキャリアの前記セットが、ワイヤレス通信システム帯域幅の狭帯域領域内の複数のサブキャリアを備える、Ｃ１に記載の方法。
[Ｃ６]  サブキャリアの前記セットのうちの隣接するサブキャリアのサブキャリア間隔が、前記ワイヤレス通信システム帯域幅の前記狭帯域領域内のデータ通信のために使用されるものと同じサブキャリア間隔に対応する、Ｃ５に記載の方法。
[Ｃ７]  ランダムアクセスメッセージが、サブキャリアの前記セットのうちの単一のサブキャリアを使用して送信される、Ｃ５に記載の方法。
[Ｃ８]  ランダムアクセスメッセージおよびデータ通信が、前記サブキャリアのうちの１つまたは複数上で時分割多重化される、Ｃ１に記載の方法。
[Ｃ９]  カバレージクラスの前記セットのうちの各カバレージクラスについての、ランダムアクセスメッセージの冗長バージョンを送信するための繰返しレベルを識別すること
をさらに備える、Ｃ１に記載の方法。
[Ｃ１０]  ランダムアクセスメッセージが非同期的に送信される、Ｃ１に記載の方法。
[Ｃ１１]  前記ランダムアクセスメッセージがパイロット信号とペイロードとを備える、Ｃ１０に記載の方法。
[Ｃ１２]  前記ペイロードが、ランダムアクセスタイプの識別情報、ワイヤレスデバイスアイデンティティ、アクセス原因、または前記ワイヤレスデバイスのカバレージクラスのうちの１つまたは複数を備える、Ｃ１１に記載の方法。
[Ｃ１３]  識別されたカバレージクラスに少なくとも部分的に基づいてサブキャリアを選択することと、
前記選択されたサブキャリアを使用してランダムアクセスメッセージを送信することと、ここにおいて、前記ランダムアクセスメッセージがランダム識別番号を備える、
前記ランダムアクセスメッセージに少なくとも部分的に基づいてアップリンクリソース割振りを受信することと、
前記アップリンクリソース割振りに少なくとも部分的に基づいてアップリンクデータパケットを送信することと、
前記アップリンクデータパケットの成功した受信を確認応答するためのフィードバックを受信することと
をさらに備える、Ｃ１に記載の方法。
[Ｃ１４]  追加のアップリンクリソースがアップリンクデータの送信のために必要とされると決定することと、
前記決定することに少なくとも部分的に基づいて第２のランダムアクセスメッセージを送信することと、前記第２のランダムアクセスメッセージが、基地局によって前記ワイヤレスデバイスのために与えられる識別情報を備える、
前記第２のランダムアクセスメッセージに少なくとも部分的に基づいて第２のアップリンクリソース割振りを受信することと、
前記第２のアップリンクリソース割振りに少なくとも部分的に基づいて第２のアップリンクデータパケットを送信することと
をさらに備える、Ｃ１３に記載の方法。
[Ｃ１５]  ランダムアクセスメッセージを送信するための、ワイヤレス通信システム帯域幅の狭帯域領域内のサブキャリアの前記セットのうちのサブキャリアを識別することと、
前記ランダムアクセスメッセージ中に含めるべきペイロードを識別することと、
前記識別されたサブキャリアを使用して前記ランダムアクセスメッセージとペイロードとを送信することと
をさらに備える、Ｃ１に記載の方法。
[Ｃ１６]  前記ペイロードが、サブキャリアの前記セットのうちのサブキャリアのサブセットを使用して送信される、Ｃ１５に記載の方法。
[Ｃ１７]  サブキャリアの前記サブセットのうちの各サブキャリア上で前記ペイロードを送信すること
をさらに備える、Ｃ１６に記載の方法。
[Ｃ１８]  前記ペイロードを複数の部分に分割することと、
前記ペイロードから冗長部分を生成することと、
サブキャリアの前記サブセットのうちの各サブキャリア上で前記複数の部分のサブセットと冗長部分のサブセットとを送信することと
をさらに備える、Ｃ１６に記載の方法。
[Ｃ１９]  前記通信リンクの前記特性が前記通信リンクの経路損失である、Ｃ１に記載の方法。
[Ｃ２０]  前記通信リンクの前記特性が、基準信号受信電力（ＲＳＲＰ）、基準信号受信品質（ＲＳＲＱ）、または受信信号強度インジケータ（ＲＳＳＩ）のうちの１つである、Ｃ１に記載の方法。
[Ｃ２１]  ワイヤレス通信のための装置であって、
ワイヤレスデバイスに関連する通信リンクの特性に少なくとも部分的に基づいて、前記ワイヤレスデバイスについてのカバレージクラスのセットを識別するための手段と、
カバレージクラスの前記セットのうちの各カバレージクラスについて、ランダムアクセスメッセージを送信するための、サブキャリアのセットのうちの１つまたは複数のサブキャリアを識別するための手段と、
サブキャリアの前記セットのうちの前記１つまたは複数のサブキャリア上で通信するための手段と
を備える、装置。
[Ｃ２２]  前記ワイヤレスデバイスにおいて前記通信リンクの前記特性を測定するための手段と、  前記通信リンクの前記特性に少なくとも部分的に基づいて、前記ワイヤレスデバイスが第１のカバレージクラス中にあると決定するための手段と、
前記第１のカバレージクラスに少なくとも部分的に基づいて、ランダムアクセスメッセージの送信のための、サブキャリアの前記セットのうちの第１のサブキャリアを選択するための手段と
をさらに備える、Ｃ２１に記載の装置。
[Ｃ２３]  各カバレージクラスについてのトークンを識別するための手段と、
前記ランダムアクセスメッセージに関連するランダム番号を決定するための手段と、  前記ランダム番号が識別されたトークンに対応することに応じて前記ランダムアクセスメッセージを送信するための手段と
をさらに備える、Ｃ２２に記載の装置。
[Ｃ２４]  各カバレージクラスについての、ランダムアクセスメッセージを送信するための１つまたは複数のサブキャリアを、複数のワイヤレスデバイスにシグナリングするための手段をさらに備える、Ｃ２１に記載の装置。
[Ｃ２５]  サブキャリアの前記セットが、ワイヤレス通信システム帯域幅の狭帯域領域内の複数のサブキャリアを備える、Ｃ２１に記載の装置。
[Ｃ２６]  サブキャリアの前記セットのうちの隣接するサブキャリアのサブキャリア間隔が、前記ワイヤレス通信システム帯域幅の前記狭帯域領域内のデータ通信のために使用されるものと同じサブキャリア間隔に対応する、Ｃ２５に記載の装置。
[Ｃ２７]  サブキャリアの前記セットのうちの単一のサブキャリアを使用して前記ランダムアクセスメッセージを送信するための手段
をさらに備える、Ｃ２５に記載の装置。
[Ｃ２８]  前記ランダムアクセスメッセージおよびデータ通信が、前記サブキャリアのうちの１つまたは複数上で時分割多重化される、Ｃ２１に記載の装置。
[Ｃ２９]  カバレージクラスの前記セットのうちの各カバレージクラスについての、ランダムアクセスメッセージの冗長バージョンを送信するための繰返しレベルを識別するための手段をさらに備える、Ｃ２１に記載の装置。
[Ｃ３０]  前記ランダムアクセスメッセージを非同期的に送信するための手段
をさらに備える、Ｃ２１に記載の装置。
[Ｃ３１]  前記ランダムアクセスメッセージがパイロット信号とペイロードとを備える、Ｃ３０に記載の装置。
[Ｃ３２]  前記ペイロードが、ランダムアクセスタイプの識別情報、ワイヤレスデバイスアイデンティティ、アクセス原因、または前記ワイヤレスデバイスのカバレージクラスのうちの１つまたは複数を備える、Ｃ３１に記載の装置。
[Ｃ３３]  識別されたカバレージクラスに少なくとも部分的に基づいてサブキャリアを選択するための手段と、
選択されたサブキャリアを使用してランダムアクセスメッセージを送信するための手段と、ここにおいて、前記ランダムアクセスメッセージがランダム識別番号を備える、
前記ランダムアクセスメッセージに少なくとも部分的に基づいてアップリンクリソース割振りを受信するための手段と、
前記アップリンクリソース割振りに少なくとも部分的に基づいてアップリンクデータパケットを送信するための手段と、
前記アップリンクデータパケットの成功した受信を確認応答するためのフィードバックを受信するための手段と
をさらに備える、Ｃ２１に記載の装置。
[Ｃ３４]  追加のアップリンクリソースがアップリンクデータの送信のために必要とされると決定するための手段と、
前記決定することに少なくとも部分的に基づいて第２のランダムアクセスメッセージを送信するための手段と、前記第２のランダムアクセスメッセージが、基地局によって前記ワイヤレスデバイスのために与えられる識別情報を備える、
前記第２のランダムアクセスメッセージに少なくとも部分的に基づいて第２のアップリンクリソース割振りを受信するための手段と、
前記第２のアップリンクリソース割振りに少なくとも部分的に基づいて第２のアップリンクデータパケットを送信するための手段と
をさらに備える、Ｃ３３に記載の装置。
[Ｃ３５]  ランダムアクセスメッセージを送信するための、ワイヤレス通信システム帯域幅の狭帯域領域内のサブキャリアの前記セットのうちのサブキャリアを識別するための手段と、  前記ランダムアクセスメッセージ中に含めるべきペイロードを識別するための手段と、  前記識別されたサブキャリアを使用して前記ランダムアクセスメッセージとペイロードとを送信するための手段と
をさらに備える、Ｃ２１に記載の装置。
[Ｃ３６]  前記ランダムアクセスメッセージおよびを送信するための前記手段が、サブキャリアの前記セットのうちのサブキャリアのサブセットを使用するように動作可能である、Ｃ３５に記載の装置。
[Ｃ３７]  サブキャリアの前記サブセットのうちの各サブキャリア上で前記ペイロードを送信するための手段
をさらに備える、Ｃ３６に記載の装置。
[Ｃ３８]  前記ペイロードを複数の部分に分割するための手段と、
前記ペイロードから冗長部分を生成するための手段と、
サブキャリアの前記サブセットのうちの各サブキャリア上で前記複数の部分のサブセットと冗長部分のサブセットとを送信するための手段と
をさらに備える、Ｃ３６に記載の装置。
[Ｃ３９]  前記通信リンクの前記特性が前記通信リンクの経路損失である、Ｃ２１に記載の装置。
[Ｃ４０]  前記通信リンクの前記特性が、基準信号受信電力（ＲＳＲＰ）、基準信号受信品質（ＲＳＲＱ）、または受信信号強度インジケータ（ＲＳＳＩ）のうちの１つである、Ｃ２１に記載の装置。
[Ｃ４１]  ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
ワイヤレスデバイスに関連する通信リンクの特性に少なくとも部分的に基づいて、前記ワイヤレスデバイスについてのカバレージクラスのセットを識別することと、
カバレージクラスの前記セットのうちの各カバレージクラスについて、ランダムアクセスメッセージを送信するための、サブキャリアのセットのうちの１つまたは複数のサブキャリアを識別することと、
サブキャリアの前記セットのうちの前記１つまたは複数のサブキャリア上で通信することと
を行わせるように動作可能である、
装置。
[Ｃ４２]  前記命令は、前記装置に、
前記ワイヤレスデバイスにおいて前記通信リンクの前記特性を測定することと、
前記通信リンクの前記特性に少なくとも部分的に基づいて、前記ワイヤレスデバイスが第１のカバレージクラス中にあると決定することと、
前記第１のカバレージクラスに少なくとも部分的に基づいて、ランダムアクセスメッセージの送信のための、サブキャリアの前記セットのうちの第１のサブキャリアを選択することと
を行わせるために前記プロセッサによって実行可能である、Ｃ４１に記載の装置。
[Ｃ４３]  前記命令が、前記装置に、
各カバレージクラスについてのトークンを識別することと、
前記ランダムアクセスメッセージに関連するランダム番号を決定することと、
前記ランダム番号が識別されたトークンに対応することに応じて前記ランダムアクセスメッセージを送信することと
を行わせるために前記プロセッサによって実行可能である、Ｃ４２に記載の装置。
[Ｃ４４]  前記命令が、前記装置に、
各カバレージクラスについての、ランダムアクセスメッセージを送信するためのまたは複数のサブキャリアを、複数のワイヤレスデバイスにシグナリングすること
を行わせるために前記プロセッサによって実行可能である、Ｃ４１に記載の装置。
[Ｃ４５]  サブキャリアの前記セットが、ワイヤレス通信システム帯域幅の狭帯域領域内の複数のサブキャリアを備える、Ｃ４１に記載の装置。
[Ｃ４６]  サブキャリアの前記セットのうちの隣接するサブキャリアのサブキャリア間隔が、前記ワイヤレス通信システム帯域幅の前記狭帯域領域内のデータ通信のために使用されるものと同じサブキャリア間隔に対応する、Ｃ４５に記載の装置。
[Ｃ４７]  前記命令が、前記装置に、
サブキャリアの前記セットのうちの単一のサブキャリアを使用して前記ランダムアクセスメッセージを送信すること
を行わせるために前記プロセッサによって実行可能である、Ｃ４５に記載の装置。
[Ｃ４８]  前記ランダムアクセスメッセージおよびデータ通信が、前記サブキャリアのうちの１つまたは複数上で時分割多重化される、Ｃ４１に記載の装置。
[Ｃ４９]  前記命令が、前記装置に、
カバレージクラスの前記セットのうちの各カバレージクラスについての、ランダムアクセスメッセージの冗長バージョンを送信するための繰返しレベルを識別すること
を行わせるために前記プロセッサによって実行可能である、Ｃ４１に記載の装置。
[Ｃ５０]  前記命令が、前記装置に、
前記ランダムアクセスメッセージを非同期的に送信すること
を行わせるために前記プロセッサによって実行可能である、Ｃ４１に記載の装置。
[Ｃ５１]  前記ランダムアクセスメッセージがパイロット信号とペイロードとを備える、Ｃ５０に記載の装置。
[Ｃ５２]  前記ペイロードが、ランダムアクセスタイプの識別情報、ワイヤレスデバイスアイデンティティ、アクセス原因、または前記ワイヤレスデバイスのカバレージクラスのうちの１つまたは複数を備える、Ｃ５１に記載の装置。
[Ｃ５３]  前記命令は、前記装置に、
識別されたカバレージクラスに少なくとも部分的に基づいてサブキャリアを選択することと、
選択されたサブキャリアを使用してランダムアクセスメッセージを送信することと、ここにおいて、前記ランダムアクセスメッセージがランダム識別番号を備える、
前記ランダムアクセスメッセージに少なくとも部分的に基づいてアップリンクリソース割振りを受信することと、
前記アップリンクリソース割振りに少なくとも部分的に基づいてアップリンクデータパケットを送信することと、
前記アップリンクデータパケットの成功した受信を確認応答するためのフィードバックを受信することと
を行わせるために前記プロセッサによって実行可能である、Ｃ４１に記載の装置。
[Ｃ５４]  前記命令は、前記装置に、
追加のアップリンクリソースがアップリンクデータの送信のために必要とされると決定することと、
前記決定することに少なくとも部分的に基づいて第２のランダムアクセスメッセージを送信することと、前記第２のランダムアクセスメッセージが、基地局によって前記ワイヤレスデバイスのために与えられる識別情報を備える、
前記第２のランダムアクセスメッセージに少なくとも部分的に基づいて第２のアップリンクリソース割振りを受信することと、
前記第２のアップリンクリソース割振りに少なくとも部分的に基づいて第２のアップリンクデータパケットを送信することと
を行わせるために前記プロセッサによって実行可能である、Ｃ５３に記載の装置。
[Ｃ５５]  前記命令が、前記装置に、
ランダムアクセスメッセージを送信するための、ワイヤレス通信システム帯域幅の狭帯域領域内のサブキャリアの前記セットのうちのサブキャリアを識別することと、
前記ランダムアクセスメッセージ中に含めるべきペイロードを識別することと、
前記識別されたサブキャリアを使用して前記ランダムアクセスメッセージとペイロードとを送信することと
を行わせるために前記プロセッサによって実行可能である、Ｃ４１に記載の装置。
[Ｃ５６]  前記命令が、前記装置に、
サブキャリアの前記セットのうちのサブキャリアのサブセットを使用して前記ペイロードを送信すること
を行わせるために前記プロセッサによって実行可能である、Ｃ５５に記載の装置。
[Ｃ５７]  前記命令が、前記装置に、
サブキャリアの前記サブセットのうちの各サブキャリア上で前記ペイロードを送信すること
を行わせるために前記プロセッサによって実行可能である、Ｃ５６に記載の装置。
[Ｃ５８]  前記命令が、前記装置に、
前記ペイロードを複数の部分に分割することと、
前記ペイロードから冗長部分を生成することと、
サブキャリアの前記サブセットのうちの各サブキャリア上で前記複数の部分のサブセットと冗長部分のサブセットとを送信することと
を行わせるために前記プロセッサによって実行可能である、Ｃ５６に記載の装置。
[Ｃ５９]  前記通信リンクの前記特性が前記通信リンクの経路損失である、Ｃ４１に記載の装置。
[Ｃ６０]  前記通信リンクの前記特性が、基準信号受信電力（ＲＳＲＰ）、基準信号受信品質（ＲＳＲＱ）、または受信信号強度インジケータ（ＲＳＳＩ）のうちの１つである、Ｃ４１に記載の装置。
[Ｃ６１]  ワイヤレス通信のためのコードを記憶する非一時的コンピュータ可読媒体であって、前記コードが、
ワイヤレスデバイスに関連する通信リンクの特性に少なくとも部分的に基づいて、前記ワイヤレスデバイスについてのカバレージクラスのセットを識別することと、
カバレージクラスの前記セットのうちの各カバレージクラスについて、ランダムアクセスメッセージを送信するための、サブキャリアのセットのうちの１つまたは複数のサブキャリアを識別することと、
サブキャリアの前記セットのうちの前記１つまたは複数のサブキャリア上で通信することと
を行うためにプロセッサによって実行可能な命令を備える、非一時的コンピュータ可読媒体。